(57)【要約】【課題】大容量の画像をプリントする製品の受発注であって、個人的な好みに小ロットで対応し得て、かつ短時間に簡便に受発注ができ、製品を素早く提供できる受発注システムを提供する。【解決手段】少なくとも光通信可能なデジタル色情報受発信センターと複数の光通信可能なデジタル色情報受発信端末とから構成され、該端末側の発注者と該センター側の受注者との間でデジタル色情報に基づくデジタルプリント製品を受発注する受発注システムで、該センターがデジタルプリンターの少なくとも一種を備え、該複数の端末の個々がそのセンターへの発信デジタル色情報が、予め一定のセンター側が指定する標準色較正ソフトにより較正され、該較正された個々の端末とセンター間で、較正されたデジタル色情報が受発信され、該デジタル色情報に基づくデジタルプリント製品を受発注するデジタルプリント製品の受発注システム。【特許請求の範囲】
【請求項１】
少なくとも光通信可能なデジタル色情報受発信センターと複数の光通信可能なデジタル色情報受発信端末とから構成され、該センターと該端末との間で、画像や写真等の着色物のデジタル色情報を含む情報のやり取り（受発信）を光通信を使用して実施し、該端末側の発注者と該センター側の受注者との間でデジタル色情報に基づくデジタルプリント製品を受発注する受発注システムであって、該センターがデジタルプリンターの少なくとも一種を備え、該複数の端末の個々がそのセンターへの発信デジタル色情報が、予め一定のセンター側が指定する標準色較正ソフトにより較正され、該較正された個々の端末とセンター間で、較正されたデジタル色情報が受発信され、該デジタル色情報に基づくデジタルプリント製品を受発注することを特徴とするデジタルプリント製品受発注システム。
【請求項２】
光通信可能なデジタル色情報受発信端末が、スキャナー、デジタルカメラ、デジタルビデオの少なくとも一種を含む受発信端末である請求項１記載のデジタルプリント製品受発注システム。
【請求項３】
デジタルプリント製品がデジタルプリント繊維製品である請求項１または２記載のデジタルプリント製品受発注システム。
【発明の詳細な説明】
【０００１】
【発明の属する技術分野】
本発明は、少なくとも較正されたデジタル色情報が送受信（受発信）されることを特徴とする着色物を取り扱う受発注システムに関し、また該受発注システムを核として他の任意のシステムが付随されたところのシステムに関し、より詳しくはシステム内でのデジタル色情報が、一定のセンター側が指定する標準色較正ソフトで末端の色情報受発信端末が予め較正されていることを特徴とするデジタル色情報を扱う受発注システムに関する。
より具体的には、本発明はアパレルやテキスタイルなど繊維ファッション業界において、製品企画の発案から製品が消費者（発注者）の手元に渡るまでの間にあって布帛上への多種多様なプリント要請に応え得る、一品注文から大量注文に至る数量規模の異なる多様な注文に応えてかつ早期に注文に応え得るものであり、目的のプリント物を早期に発注者に送付・提供し得る繊維ファッション産業における、発注者とこれらの発注者からの受注をする受注者とから構成された受発注システムである。
受発信されるデジタル色情報が一定の標準色較正ソフトで較正され、大容量のこれらのデジタル色情報が光通信を使用して発注者、受注者側共に素早いデジタル色情報のやり取りができる、しかも色情報の発注者と受注者との間の不一致による問題を解決し得るところのデジタルプリント製品受発注システムに関するものである。
【０００２】
【従来の技術】
【０００３】
【特許文献１】
特開2001-229228号公報
近年、インターネット上で商品の売買やオークション等の取引すなわち受発注システムが盛んに行われるようになってきている。これらの受発注システムにおいて、誰でもが参加し得るオープンシステムと、所定の参加資格を有した者だけが参加し得るすなわちクローズドシステムとに大別できる。会員である受注者と会員である発注者、オークションの設営管理者とオークション参加資格保有者のように、システムに参加するものが、一定のシステム参加資格を与えられて初めてそのシステムに参加し得るものでの構成を核の構成とした所謂クローズドシステムがインターネット上で運営されている。
例えば、塗料メーカーと塗料ユーザーとが、インターネット上で所定色見本を介して取引するシステムも提案されている。
また、繊維ファッション業界において、製品が消費者（発注者）の手元に渡るまでの間にあって布帛上への多種多様なプリント要請に応え得る、多様な注文に応えてかつ早期に注文に応え得る、目的のプリント物を早期に発注者に提供し得る繊維ファッション産業における、所定資格を有する会員発注者とこれらの発注者からの受注をする受注者とから構成される受発注システムも提案されている。
【０００４】
【発明が解決しようとする課題】
従来知られている、かかる色情報が受発信されることを特徴とする着色物を取り扱うクローズドシステムの内で、最も本発明に関連した場合であるもの例えば、インターネット上で色情報が重要な受発信データである取引すなわち受発注システムであって、少なくともデジタル色情報受発信サイトを有するセンターと複数のデジタル色情報受発信端末とが存在し、少なくとも該センターと該端末との間で、着色物のデジタル色情報を含む情報のやり取りを行うクローズドシステムにおいて、センター側の色情報を較正（例えば、受注側のプリンターの色補正）をして複数存在するプリンター個々の間で差のないように、すなわち一所定色情報に基づいてプリントする場合に、どのプリンターでプリントしても同一（ほぼ同一）のプリントができるようにして、その受発注システムの運用が支障のないようにする工夫がされているものが、例えば特開2001-229228号公報で提案されている。
【０００５】
この特開2001-229228号公報で提案されている場合には、センター側の色情報を較正（例えば、受注側のプリンターの色補正をして複数存在するプリンター個々の間で差のないように、すなわち一所定色情報に基づいてプリントする場合に、どのプリンターでプリントしても同一（ほぼ同一）のプリントができるように）して、その受発注システムの運用が支障のないようにする工夫が、その運用または実施に効果が大きいとされているが、クローズドシステムの一方側である複数の（例えば画像入力電子処理装置である）端末部の個々が、予め一定の標準色情報により較正されていることがないので、該個々の端末部が「取り込み」およびまたは「発信」または「受信」される色情報が、スキャナー、デジタルカメラ、デジタルビデオおよびディスプレイの少なくとも一種を含む受発信装置の個々の色補正ソフトの差によって、ばらばらになることが多発する。
【０００６】
例えば、ある一端末部で画像を「取り込み」することでその画像の色情報をセンター（サイト）側に発信しその画像（色情報）を布帛等にプリントすることを発注し、センター側がその注文を受注する。この場合、当該一端末部であるスキャナー固有の光源および／または受光素子特性等が存在し、同じ画像を、別の地域の一端末部で「取り込み」することでその画像の色情報をセンター側に発信しその画像（色情報）を布帛等にプリントすることをもって発注し、センター側がその注文を受注したときは、この別の地域の一端末部であるスキャナー固有の光源および／または受光素子特性等によって前記した別のスキャナーからの色情報とはまったく異なる色情報で受発注が行われたことになり、結果として、出来上がった布帛上に画像をデジタルプリントした製品の画像の色が異なることになってしまう。
【０００７】
このように個人的な好みにできるだけ小ロットで対応しうる、衣服上の画像等の色情報が個々に異なっている衣服を提供することができ、且つコスト的低減の可能な衣服製作、及びそれらの衣服を個人に素早く提供できるような受発注システムが求められ、かつ異なる多くの端末側（例えば、発注者）からセンター側（例えば、受注者）に色情報を発信して色情報を含む画像がその受発注システムの必須情報であるシステムにおいて、きわめて多くの複数の端末が存在してもその端末の色情報が個々に差がないようなシステムでなければ、かかる受発注システムの受発注者がともに満足のできるシステムとはならない。
さらに、動画の一画面一画面の複数を選定してその選定された複数の画像を発注者が画像として発注する場合等において、受注者側との画像の受発信の情報量が極めて大容量となり、従来の公衆回線などによる受発信および画像処理に時間がかかり、本発明の主目的であるデジタルプリント物を早期に発注者に提供し得ることが極めて困難になる。
【０００８】
本発明は、例えば、大容量の画像をデジタルプリントした製品を、個人的な好みにできるだけ小ロットで対応しうる衣服を提供することができ、且つコスト的低減の可能な衣服製作、及びそれらの衣服を個人に素早く提供できる受発注システムの実現要求に応え、かつ、きわめて多くの複数の端末（画像入力電子装置等）が存在してもその端末の色情報が個々に差がないようになるデジタルプリント製品受発注システムを提供せんとするものである。
【０００９】
【課題を解決するための手段】
本発明は、大容量画像を受発信して当該画像に基づく画像を繊維製品などにデジタルプリントしてなるデジタルプリント製品を受注者に素早く提供できる受発注システムである。
すなわち本発明は、少なくとも光通信可能なデジタル色情報受発信センターと複数の光通信可能なデジタル色情報受発信端末とから構成され、該センターと該端末との間で、画像や写真等の着色物のデジタル色情報を含む情報のやり取り（受発信）を光通信を使用して実施し、該端末側の発注者と該センター側の受注者との間でデジタル色情報に基づくデジタルプリント製品を受発注する受発注システムであって、該センターがインクジェットプリンター、レーザープリンターなどのデジタルプリンターの少なくとも一種を備え、該複数の端末の個々がそのセンターへの発信デジタル色情報が、予め一定のセンター側が指定する標準色較正ソフトにより較正され、該較正された個々の端末とセンター間で、較正されたデジタル色情報が受発信され、該デジタル色情報に基づくデジタルプリント製品を受発注することを特徴とするデジタルプリント製品受発注システムである。
また、端末がスキャナー、デジタルカメラ、デジタルビデオの少なくとも一種を含む受発信端末から選ばれた一種である前記のデジタルプリント製品受発注システムであり、さらにまたデジタルプリント製品がデジタルプリント繊維製品である前記のデジタルプリント製品受発注システムである。
【００１０】
【発明の実施の形態】
本発明における、受発注システムとは、例えば、発注者となるデジタル色情報受発信端末側と受注者となるデジタル色情報受発信センターとで少なくとも構成されるインターネット上で光通信を使用してデジタル色情報受発信をもって色情報保有物である商品等の取引等すなわち受発注を行うシステムにおいて、デジタル色情報受発信端末が一定の資格またはデジタル色情報受発信センターからの認定を受け承認されて受発信が可能であるシステムであり、しかも承認されたデジタル色情報受発信端末が、少なくともデジタル色情報受発信センター側と同一ソフトで較正されデジタル色情報において同一のものとされたものである。
前記例をさらに詳しく述べれば、システムを主として構築する該システムの構築者（運営者、または受注者）である光通信可能なデジタル色情報受発信センター側が、会員として認証した発注者である光通信可能なデジタル色情報受発信端末との間で、少なくとも大容量通信が可能な光通信システムを使用して同一較正ソフトで較正されたデジタル色情報を受発信し、色情報保有物（着色物プリント布帛製品等）の受発注を行い、デジタル色情報受発信サイト等を経由した色情報で受注を受けた受注者が、受信した色情報を基に、プリンターで布帛に色情報をプリントして着色物プリント布帛製品等を製作して、発注者に送付し、納品する等の受発注システムである。
【００１１】
本発明においては、前記システムの構成を必須とするものであるが、このシステムに、所謂オープンシステムと称される場合におけるデジタル色情報受発信センター側（受注者）が、会員として認証していないところの予め一定のセンター側が指定する標準色較正ソフトにより較正されていない色情報受発信端末やデジタル色情報受発信サイトを付加せしめたシステムであってもよいものである。
かかる場合の光通信可能なデジタル色情報受発信端末は本発明の骨子である予め一定の標準色情報で較正されたデジタル色情報受発信端末等でなくてもよい。
また、本発明においては、少なくとも一つの光通信可能なデジタル色情報受発信センターと複数の光通信可能なデジタル色情報受発信端末とから構成されるものであるが、これらの構成以外に、取引管理サイト、プリンター制御サイト、デザイナーサイト、製品・原材料在庫管理サイト等等の本発明実施のための種々サイトや、色情報受発信データ入出力装置、プリンター、プリンター制御コンピューター等等の種々の機器を任意に選択採用して相互にリンクせしめたり、デジタル色情報受発信センターにリンクせしめたり包含せしめてもよいものである。
【００１２】
本発明における、光通信可能なデジタル色情報受発信センターは、例えばシステムを設営・運営する事務局（例えば、受注者）が主としてインターネット上に設営・運営するデジタル色情報受発信サイトを保有するものや、単に発信者との間で光ファイバーを介して光通信可能なように接続されたもの等が挙げられ、これらにおいてサイトは、システムにおける総合サービスサイトとして機能するものであり、案内導入サイト、受注受付サイト、デザイナーサイト、取引管理サイト、製品・原材料在庫管理サイト、（バーチャル）ショッピングサイト、受注者提供画像等コンテンツ提供サイト、等を包括・包含またはリンクしたものであり、光通信可能なデジタル色情報受発信端末（例えば、発注者）とデジタル色情報を光通信で受発信して本発明のシステムを構成するものである。
本発明における、光通信可能なデジタル色情報受発信センターは前記例示に限定されず、インターネット上に設けられたサイトやホームページを別の場所で受発信・制御するものであってもよい。
【００１３】
本発明における光通信可能なデジタル色情報受発信端末は、本発明のシステムにおける一方の構成体であり、画像入力電子装置や演算処理装置や電子情報受発信装置等から選定される一種以上から構成され少なくとも光通信可能な通信機器を備えているものであり、画像入力電子装置の具体例としては、スキャナー、デジタルカメラ、デジタルビデオ、パーソナルコンピューター等が挙げられ、色をデジタル化しうるものであればこれらに特に限定はされるものではなく、本発明における較正の主対象となるものである。
スキャナー、デジタルカメラ、デジタルビデオ等の色情報をデジタル情報として取り込む端末は、殆ど製造者，銘柄、ロット等によってその色情報のデジタル色情報取り込みが異なり（光源の差異、受光素子の差異等）、同一の画像を異なる個々の端末で取り込んだ場合にはそのデジタル色情報が殆ど異なるものとなってしまう。このようにして同一の画像を異なる端末から、デジタル色情報受発信サイトを経て発注した場合、受注した受注者の個々のプリンターが全て同じデジタル色情報を持つように設定されたものであっても、異なるデジタル色情報の発注である以上、異種の色情報による製品になってしまう。この例は一つの例であって、他にも、異なるデジタル色情報取り込み機種である端末を使用した場合のシステムにおいてはかかるデジタル色情報のばらばらなことによる支障が発生することになる。
【００１４】
本発明においては、前記したばらばらな色情報取り込み機種である端末を使用した場合の受発注システムにおける課題を解決するため、かかるばらばらな色情報取り込み機種である端末を予め一定の標準色情報で較正し、システム構成における全ての光通信可能なデジタル色情報受発信端末を、同一のセンター側が指定するソフトで較正したデジタル色情報の受発信機種である端末となす。この処理をなすことで、ある同一色を複数のデジタル色情報受発信端末で取り込んだデジタル色情報は、全て同一画像であれば、同一（ほぼ同一）のものとなり異なる端末からの同デジタル色情報の発信デジタル色情報が同一のものとなる。
また、本発明においては、前記したばらばらなデジタル色情報取り込み機種である端末を予め一定の標準色情報で較正し、システム構成における全てのデジタル色情報受発信端末を、同一のデジタル情報取り込み機種となす本発明システムに代えて、複数端末を予め一定の標準色情報で較正することなく、これら複数端末の個々の固有識別情報と標準色情報に対する特性値とを、予めデジタル色情報受発信センター側で認識し、該認識した固有識別情報と標準色情報に対する特性値とをデータベースとして蓄積しておき、あるＡなる端末からのデジタル色情報をセンター側で受信した時に、該受信色情報を、予め蓄積したＡなる端末の標準色情報に対する特性値と固有識別情報とをもってセンター側で較正して使用する（例えばプリントする際のプリンターへの指示情報として使用する）システム（システムＢ）となすことにより、「色情報のばらつき」による課題を解消し得ることも実施できるが、本発明のシステムに比べて操作の煩雑さ等から効果が劣るものとなる。
しかし本発明のシステムに前記したようなシステムＢを本発明のシステムに付加的にリンクさせて総合システムとなしても良いものである。
【００１５】
本発明においては、前記したように個々の端末の端末における色情報取り込み特性の較正または端末個別特性を予め把握しておき、各個別端末の色情報発信時にその色情報受信したセンター側で、その端末個別特性から受信色情報を較正し、較正した色情報でプリント等を布帛上になすシステムＢにおいても「色情報のばらつき」による課題を解消し得るが、個々の端末一つ一つを個々に管理することは精度が高いが、数千数万という端末数の場合には煩雑になる嫌いがある。本発明はかかる場合における解決のための実施態様の一つとして、前記した個々の端末に施した処理をなすことすなわち個別端末較正を、端末の製造者，銘柄、ロット毎に、製造者別，銘柄別、ロット別、製造年度別等を選定し組み合わせて、その選定され組合わされた群の色情報取り込み特性の平均値を把握しその群色情報取り込み特性を前記した方法で同じように較正し、システムにおける「色情報のばらつき」による課題をほぼ解消するところのシステムＣを含んでも良いものである。
【００１６】
本発明を説明するに際し、以下着色物として着色繊維製品の受発注システムについて詳述する。この限定された説明に本発明が制限されるものではないが、この例が本発明における好ましい例である。
着色繊維製品の製造は、布帛または布帛製品の所定面上に画像等所定の色情報をプリント（着色）し、必要に応じて、プリント後に後処理を施したり、他装飾やを施したりして着色繊維製品となすことである。
本発明における着色は、浸染、捺染、糸染等公知の着色技術を使用できるが、好ましくは、インクジェットプリントやレーザープリントや電子写真方式のデジタルプリントが好ましく、したがってセンター側にはデジタルプリンターであるインクジェットプリンターやレーザープリンターを備えることが好ましい。これらのプリンターを使用してのプリントにおいて、転写捺染やインクジェットダイレクト染色法が、本発明の趣旨からして小ロット多品種の受発注システムにとって好ましいものである。
【００１７】
インクジェットプリント方式で着色するということは、バブルインクジェット方式、ピエゾインクジェット方式等種々のインクジェット方式の一に限定されることなくそれらのうちから、適宜選択し採用したインクジェット方式で着色することであり、またこれらのインクジェット方式で特定の柄を、直接衣服構成部位に該インクジェット方式で着色（プリント）してもよく（ダイレクトインクジェットプリント方式）、またインクジェット方式で得た図柄紙を以って転写し着色する方式（インクジェット転写方式）で布帛や衣服構成部位の所定面上に着色してもよいものである。
【００１８】
本発明において、使用される布帛とは、特に限定されるものではなく、例えば木綿（コットン）１００％及び他繊維との混紡品、混織品、混編品や、ポリエステル繊維１００％及び他繊維との混紡品、混織品、混編品（ダブルニット等）、羊毛、絹、ナイロン、等の公知の繊維の１００％及び他繊維との混紡品、混織品、混編品が挙げられる。
布帛製品にプリント（着色）する場合には、これら製品の中で、袖部、襟部、胴部、左脚部、右脚部、ポケット部、ポケット蓋部等の複数部位から構成される布帛製品（衣服）の、該複数部位の少なくとも一部位にのみ、プリントしてもよくまた全部位にプリントしてもよいものである。
【００１９】
これらの布帛製品の、袖部、襟部、胴部、左脚部、右脚部、ポケット部、ポケット蓋部等の複数部位から構成される衣服の、該複数部位の少なくとも一部位がインクジェット方式でプリントする部位に使用する布帛については、ポリエステル繊維１００％及び他繊維との混紡品、混織品、混編品と木綿（コットン）１００％及び他繊維との混紡品、混織品、混編品とが好ましく,より好ましくはポリエステル繊維１００％及び他繊維との混紡品、混織品、混編品である。
前記の布帛は、着色の後に起毛処理や薬剤処理などの表面処理を行い、着色を行った領域を着色をしない領域と同じ風合いになるように加工等をなす等の、着色後の後処理や、インクジェットプリント方式で着色する前に、インクジェットインクの不必要な布帛上での広がりを防ぐための前処理等や施してもよいものである。
【００２０】
インクジェットプリント方式以外の着色方式は、従来公知の繊維染色法式が限定なく使用できるものであり、例えば布帛を組み立てている繊維をあらかじめ糸染めし、少なくともその糸を使用して布帛を織、編して布帛とする先染め方法や、種種の繊維からの布帛を浸染する方法、布帛に捺染する方法、さらには、布帛に刺繍や刺し子で色つけ装飾する方法などが挙げられ、これらに限定されずまたこれらを組み合わせて使用してもよいものである。
着色繊維製品のプリント（着色）による製造は上記のごとく実施されるがこれに限定されるものではない。
【００２１】
センター側が認可し予め一定のソフトでそれぞれの複数端末の少なくともセンターに発信するデジタル色情報を較正した受発注システムを構成する数千数万におよぶ多数のデジタル色情報受発信端末としての受注者があり、その端末としてスキャナー、デジタルカメラ、デジタルビデオ、パーソナルコンピューター等があって、しかもこれらの多数の端末である全てのスキャナー等は、予め受注者がプリント（着色）するに際して使用する染料などの着色剤に適したすなわち発色性において最も効果のある一定の標準色情報を使用して較正し、該システム構成における全ての該端末である光通信可能なデジタル色情報受発信端末を、同一のデジタル色情報（取り込みも含め）発信特性の保有端末となしておく。
そこで較正された端末であるスキャナー等からなる発信者からのデジタル色情報を光通信によって、（例えば特定のカラー写真の任意部分を取り込みその取り込んだデジタル色情報をコンピューターを経て前記サイトを経由してまたは経由せずしてセンターに）発信・布帛上にプリントすることを発注し、受注者（センター側）はサイトを通じてまたはサイトを通じることなく受信・受注し、布帛にそのデジタル色情報に基づいてプリントし製品とし、発注者に送付・納品する。
この際、光通信を使用することで、大容量の画像デジタル色情報が素早く受発信でき、大容量画像の色調整における多大の手間を殆ど要することなく、プリントし製品とすることができ、発注者に製品を送付・納品することができ、発注（受注）から納品まで極めて短期間、例えば４日程で可能となる。
【００２２】
前記実施態様に比べて、デジタル色情報受発信センターと複数のデジタル色情報受発信端末とから構成され、該センターと該端末との間で、画像や写真等の着色物のデジタル色情報を含む情報のやり取り（受発信）を実施し、該端末側の発注者と該センター側の受注者との間でデジタル色情報に基づくデジタルプリント製品を受発注する受発注システムにおいて、該複数の端末の個々がそのセンターへの発信デジタル色情報が、予め一定のセンター側が指定する標準色較正ソフトにより較正されておらず、較正されていない個々の端末とセンター間で、較正されていないばらばらのデジタル色情報が受発信され、該デジタル色情報に基づくデジタルプリント製品を受発注する場合には、大容量の画像デジタル色情報が素早く受発信できず、しかも大容量画像の色調整における多大の手間を要して、プリントし製品とするまでの時間が大幅に増加し、結果として発注者に製品を送付・納品する時間がかかり、発注（受注）から納品まで極めて長期間、例えば２週間程度も必要となってしまう。
【００２３】
【発明の効果】
本発明によれば、個人的な好みにできるだけ小ロットで対応しうる衣服等の着色物を提供することができ、且つコスト的低減の可能な着色物製作、及びそれらの通信に大容量を要する画像であっても、該画像をプリントした着色物を発注者である代理店や取次店や個人に、光通信を使用することで素早く提供できる受発注システムの実現要求に応え得る。
多数の発注者の異なる機種であっても較正されていることで同一のデジタル色情報がクローズドシステム内で受発信できることで、反復発注において色のばらつきがなく、更に受注者側の使用着色剤の着色に適した標準色情報で較正されているために、発注者の色イメージを満足させ得る受注と着色ができ、少なくとも多数のデジタル色情報受発信端末とデジタル色情報受発信センターからなる受発注システムである着色物の色情報を介しての受発注システムにきわめて有用であることが実証できた。